(57)【特許請求の範囲】
【請求項１】
ベルト及びチェーンの如き牽引手段用の緊張装置であって、テンションローラ（２）であるのが好ましい緊張部材を担持していると共に、前記牽引手段に向かってバネ負荷されているテンションアーム（１、35）と、ねじりコイルバネ（14、45）とを備えており、前記テンションアーム（１、35）は、滑り軸受（３、36）によって、固定要素（４、32）と相対的に回転可能に支持されており、前記滑り軸受は、テンションアーム軸（５、32）と同軸状に設けられ互いに摺動する円錐面として形成された滑り軸受面（７、12、43、44）を有しており、前記ねじりコイルバネ（14、45）は、前記テンションアーム軸（５、32）の周囲に巻かれていると共に、一方では、前記テンションアームに固定されたサポート（15、46）に支持されており、また、他方では、前記固定要素に設けられた固定サポート（16、33）に支持されており、前記サポート（15、16、33、46）の間に挟着された前記ねじりコイルバネ（14、45）は、装着された状態で軸方向の予負荷とねじり方向の予負荷を与えられており、また軸方向力（FD）を発生し、該軸方向力（FD）を前記滑り軸受面（７、12、43、44）に対して直角に作用する反力（FR）の形態で前記滑り軸受（３、36）に伝達し、これによって前記滑り軸受面（７、12、43、44）同士が軸方向力（FD）のもとで互いに押圧されるように構成されたことを特徴とする緊張装置。
【請求項２】
請求項１に記載の緊張装置において、前記テンションアーム（35）に関連する前記滑り軸受面（43）は、前記固定要素（32）に関連する前記滑り軸受面（44）の半径方向外側に位置しており、これにより、前記前記固定要素に設けられた固定サポート（33）は、前記滑り軸受面（43、44）の先細の端部から前記滑り軸受面（43、44）の拡大された端部に向かう方向において、前記テンションアームに固定されたサポート（46）よりも前記先細の端部側に位置していることを特徴とする緊張装置。
【請求項３】
請求項１に記載の緊張装置において、前記テンションアーム（１）に関連する前記滑り軸受面（12）は、前記固定要素（４）に関連する前記滑り軸受面（７）の半径方向内側に位置しており、これにより、前記テンションアームに固定されたサポート（15）は、前記滑り軸受面（７、12）の先細の端部から前記滑り軸受面（７、12）の拡大された端部に向かう方向において、前記固定要素に設けられた固定サポート（16）よりも前記先細の端部側に位置していることを特徴とする緊張装置。
【請求項４】
請求項１に記載の緊張装置において、前記テンションアームが固定されたテンションアーム軸（５）は、前記滑り軸受（３）の半径方向内側に形成されており、前記テンションアーム軸は、前記ねじりコイルバネ（14）を収容するように軸方向に開口された凹所（25）を有しており、該凹所は、前記固定要素に設けられた固定サポート（16）と半径方向において重なっていることを特徴とする緊張装置。
【請求項５】
請求項４に記載の緊張装置において、前記テンションアームが固定されたテンションアーム軸（５）は、ポット底部（26）、ポットケーシング（27）及びポットカバー（28）を有するポット形状の形態を備えた固定要素（４）の中に設けられており、前記固定要素に設けられた固定サポート（16）は、前記ポットカバー（28）によって形成されており、また、前記固定要素（４）には、円周方向のスロット（30）が形成されており、前記テンションアーム（１）は前記円周方向のスロットによって半径方向に案内されることを特徴とする緊張装置。
【請求項６】
請求項１に記載の緊張装置において、テンションアーム軸（32）が前記固定要素を形成しており、該テンションアーム軸は、外側の円筒面領域（34）が形成されている一端部を有しており、該一端部には、円錐形のブッシュ（39）が設けられており、前記円錐形のブッシュは、外側の円錐面領域（40）及び内側の円筒面領域（41）を有していると共に、前記テンションアーム軸（32）の前記テンションアーム（35）とは反対の側の端部の方を向いた先細の端部を有しており、前記テンションアーム軸（32）には、同軸状の貫通孔（47）が形成されていることを特徴とする緊張装置。
【請求項７】
請求項１に記載の緊張装置において、テンションアーム軸（32）が前記固定要素を形成しており、前記固定要素に設けられた固定サポートを形成するサポートフランジ（33）が、前記テンションアーム軸（32）の前記テンションアーム（35）とは反対の側の端部に固定されており、前記滑り軸受面（43、44）の先細の端部は、前記サポートフランジ（33）の方を向いていることを特徴とする緊張装置。
【請求項８】
請求項１に記載の緊張装置において、前記テンションアーム（１）には円周方向に隔置された穴（21、22）を有するケーシング（20、23）が形成されており、滑り軸受ブッシュ（９）が射出成形法によって前記ケーシング上に成形されており、前記滑り軸受ブッシュの材料は、前記ケーシング（20、23）に噴出されて該ケーシングを貫通し、該ケーシングの背後に係合していることを特徴とする緊張装置。
【請求項９】
請求項１に記載の緊張装置において、前記テンションアーム軸（５、32）に対する前記滑り軸受面（７、12、43、44）の傾斜角度は、８゜と30゜との間の範囲にあることを特徴とする緊張装置。
【請求項１０】
請求項１に記載の緊張装置において、前記軸受面の中の少なくとも１つの軸受面（12）には、円周方向に分布された潤滑剤ポケット（16a）が設けられていることを特徴とする緊張装置。
【請求項１１】
請求項10に記載の緊張装置において、前記潤滑剤ポケット（16a）は、前記テンションアーム（１）と固定要素（４）との間に配置された滑り軸受ブッシュ（９）に形成されていることを特徴とする緊張装置。
【請求項１２】
請求項１に記載の緊張装置において、前記ねじりコイルバネ（14）の両端部はそれぞれ前記テンションアームに固定されたサポート（15）及び前記固定要素に設けられた固定サポート（16）に固着されていることを特徴とする緊張装置。
【請求項１３】
請求項１に記載の緊張装置において、ねじれ作用を受ける前記ねじりコイルバネ（45）の各々の両端部には、前記ねじりコイルバネ（45）の長手方向軸線を横断する方向に作用する一対の力（FS）が作用することを特徴とする緊張装置。
【発明の詳細な説明】
発明の分野
本発明は、ベルト及びチェーンの如き牽引手段用の緊張装置に関するものである。この緊張装置は、テンションローラであるのが好ましい緊張部材を担持すると共に牽引手段に向かってバネ偏倚されているテンションアームと、該テンションアームの軸の周囲に巻かれたねじりコイルバネとを備えている。上記テンションアームは、滑り軸受によって、固定要素と相対的に回転可能に支持されている。上記滑り軸受は、テンションアーム軸と同軸状に設けられていて互いに摺動する円錐面の形態の滑り軸受面を有している。上記ねじりコイルバネは、一方では、上記テンションアームに固定されたサポートに支持されており、他方では、固定サポートに支持されている。
発明の背景
上述のタイプの緊張装置は、例えば、米国特許第4698049号（US−A4698049）から周知である。テンションアーム軸及び固定要素は各々、円錐面を有しており、これら２つの円錐面の間には、円錐形の滑り軸受ブッシュが設けられている。研磨性の磨耗により滑り軸受面に生じて滑り軸受に半径方向の遊びが生じた場合には、滑り軸受の円錐面を手動操作で軸方向に互いに押圧して、滑り軸受の半径方向の遊びが再度許容範囲内の値になるように、滑り軸受面を位置決めする必要がある。
発明の概要
本発明の目的は、上述のタイプの緊張装置を改善し、滑り軸受面の自動的な調節が簡単に行われるようにすることである。本発明によれば、サポートの間の挟着されたねじりコイルバネによって発生される軸方向力を、滑り軸受面に対して直角に作用する反力の形態として、滑り軸受面に伝達することが提案される。この構成は種々の利点を有している。第一に、滑り軸受面に研磨性の磨耗が生じた時に、上記軸方向力（すなわち、滑り軸受面に中間に作用する反力）は、上記滑り軸受面を互いに押圧して、クリアランスのないすなわち遊びのない滑り軸受作用を確実に行わせる。滑り軸受面をそれぞれの軸線に対して一定の傾斜角度で配置すると、軸方向の取り付けによる反力、及び、ねじりコイルバネの軸方向力を変化させることができる。プラスチック材料製の円錐形の滑り軸受ブッシュを設け、直角方向の反力が作用する結果として、上記滑り軸受ブッシュが摩擦接触の間の滑り摩擦により大きく磨耗するようにすることが多い。滑り摩擦による上記磨耗は、テンションアーム及び固定要素のそれぞの自己調節運動によって、何等問題を生ずることなく補償される。上記テンションアーム軸および固定要素の各々に円錐面を形成し、これら円錐面の間に円錐形の滑り軸受ブッシュを設ける場合には、この滑り軸受ブッシュも上記円錐面の間にすきまばめの状態で設けることができる。作動の間に、滑り摩擦は通常、滑り軸受面と同じ摩擦条件にある滑り軸受ブッシュの外側の円錐面領域と隣接する固定面すなわちテンションアームが固定された円錐面との間に生ずる。本発明の緊張装置のねじりコイルバネは、従来技術で説明したのと同じ態様で、ねじり負荷を受けると共に、テンションアームを牽引手段に向かってバネ負荷する。
米国特許第4,698,049号は、テンションアームの固定要素に対する揺動運動を緩衝するための緩衝装置を開示している。この緩衝装置は、固定要素及びテンションアーム軸に互いに向かい合う終端面を形成し、これら終端面の間に摩擦ディスクを設けることによって、形成される。固定要素に関連する端面は、別個のディスクに形成される。本発明の緊張装置は、通常の緊張装置とは異なり、追加の手段を設けることを必要とせずに、緩衝機能を果たす。滑り軸受面の間の滑り摩擦は、上記反力、及び、その結果生ずる表面圧力によって増大し、これにより、テンションアームの両方の回転方向において、所望の緩衝効果が得られる。
例えば、軸方向に圧縮されて軸方向力を発生するねじりコイルバネにおいては、テンションアームに関連する滑り軸受面を半径方向外側に設けると共に、固定要素に関連する滑り軸受面を半径方向内側に設け、これにより、滑り軸受面の先細の端部から滑り軸受面の拡大された端部に向かう方向において、上記固定サポートがテンションアームに固定されたサポートより前記先細の端部側に位置するようにした場合に、上記サポート及び滑り軸受面の特に効果的な構造が得られる。ねじりコイルバネが軸方向に圧縮されて軸方向の押圧力を発生する場合には、テンションアームに関連する滑り軸受面を半径方向内側に設けると共に、固定要素に関連する滑り軸受面を半径方向外側に設け、これにより、上記滑り軸受面の先細の端部から滑り軸受面の拡大された端部に向かう方向において、テンションアームに固定されたサポートが固定サポートより前記先細の端部側に位置するようにすることによって、簡単で適正な構造が得られる。上述の構造は共に、追加の構成要素を設けることを必要とせずに、滑り軸受面に対して直角方向に作用する反力を効果的に発生させる。
本発明の緊張装置は、自動車両の集合的なエンジン駆動装置に使用することが多い。そのような緊張装置の構造においては、特にスペース的な要件も考慮する必要がある。
テンションアームに固定されたテンションアーム軸を滑り軸受の中で半径方向に形成し、ねじりコイルバネを収容するために軸方向に開口した凹所を上記テンションアームに設け、上記凹所を固定サポートと半径方向において重ね合わせることによって、特に省スペース型の変形例が得られる。この変形例は、特に効果的であり、その理由は、滑り軸受面が円周方向において増大する結果、半径方向外側の滑り軸受が、小さな表面圧力を示し、従って、小さな研磨性の磨耗を受けるからである。
据え付けの観点から特に効果的な緊張装置においては、テンションアームが固定されたテンションアーム軸は、ポット底部、ポットケーシング及びポットカバーを含むポット形状の形態を有する固定要素の中に設けられる。上記固定サポートは、上記ポットカバーによって形成され、また、上記固定要素には、円周方向のスロットが形成される。上記テンションアームは、上記円周方向のスロットによって、半径方向に案内される。上記ポットカバーは、例えば、差し込み型の固定具によって、上記固定要素に固定することができる。
更に別の変形例によれば、上記固定型のテンションアーム軸は、外側の円筒面領域が形成された一端部を有している。この一端部には、円錐形のブッシュが好ましくは着脱自在に固定され、上記円錐形のブッシュには、外側の円錐面領域及び内側の円筒面領域が形成される。上記円錐形のブッシュは、テンションアームとは反対の方向を向いている先細の端部を有しており、この先細の端部は、テンションアーム軸の方を向いている。上記テンションアーム軸には、同軸状の貫通孔が形成されている。これにより、テンションアーム軸と同軸状の円錐孔が形成されている上記テンションアーム、及び、該テンションアームと共に一部品として形成されている上記テンションアーム軸は、上記円錐形のブッシュ、及び、テンションアーム軸の周囲に設けられるねじりコイルバネと共に、一緒に装着することができる。上記ねじりバネによって軸方向力が発生されるので、上記テンションアーム及び円錐形のブッシュはそれぞれ、上記テンションアーム軸から軸方向に滑り抜けないように固定される必要がある。例えば、上記テンションアーム軸と同軸状のネジを、テンションアーム軸の自由端のテンションアームの端部の端面にねじ込み、上記円錐形のブッシュの一方の端面を上記ネジの頭部の上で軸方向に支持することができる。上記ネジをテンションアーム軸の上記同軸状の貫通孔に通して、エンジンブロックにねじ込むことができる。この構成においては、上記ネジは２つの機能を果たす。すなわち、第１の機能は、テンションアーム軸をエンジンブロックに固定することであり、また、第２の機能は、テンションアーム及び同軸状のブッシュをそれぞれ軸方向において固定することである。
本発明の別の変更例によれば、上記サポートを形成するサポートディスクが、テンションアームとは反対の方向を向いたテンションアーム軸の端部に固定され、上記滑り軸受面の先細の端部は、上記サポートディスクの方を向いている。この緊張装置においては、上記固定要素には、テンションアームの方を向いた拡大された端部を有する円錐孔が形成されるのが好ましい。上記テンションアームと共に一部品として形成されるのが好ましい上記テンションアーム軸は、上記円錐孔の中に挿入されており、この円錐孔を越えて軸方向に伸長している自由端を有している。この自由端に圧力嵌めされるのは上記サポートディスクであるのが好ましい。この場合には、テンションアーム軸の上で軸方向に移動しないようにサポートディスクを固定する必要はない。上記円錐孔の円錐形の孔壁は、この場合においては、外側の滑り軸受面を形成する。
円錐形のブッシュを別個の要素として構成する必要はない。また、滑り軸受ブッシュは、円周方向に隔置された穴を有するケーシングに対して射出成形法によって形成し、滑り軸受の材料を上記ケーシングに噴出して、上記穴を貫通させて該穴の背後に係合させることができる。このようにすると、例えば、テンションアームと滑り軸受ブッシュとの間に、緊密な接続を達成することができる。
テンションアーム軸に対する滑り軸受面の傾斜角度が８゜と30゜との間の範囲にある場合に、滑り軸受における特に好ましい力の関係が得られる。
場合によっては、円周方向に分布された複数の潤滑剤ポケットを有する少なくとも１つの軸受面を設けることもできる。潤滑剤が上記潤滑剤ポケットの中に充填され、長期間にわたる最適な緩衝特性及び滑り特性を確保することができる。上記潤滑剤ポケットは、滑り軸受ブッシュに設けることもできる。
滑り軸受の負荷に関しては、ねじりコイルバネの両端部を確実に固着するようにするのが適当である。これにより、上記バネのねじれにより、滑り軸受に伝達されて望ましくないエッジ応力を生じさせる半径方向力が発生することはない。このタイプの取り付けは、ねじりを受けているねじりコイルバネの両端部の各々に、このねじりコイルバネの長手方向軸線に交差する方向に作用する一対の力を作用させた場合にも得ることができる。これは、例えば、上記バネがねじれた結果として、該バネの曲がった端部がテンションアームが固定される第１の支持点によって支持され、上記一対の力の中の一方の支持力が上記支持点に作用した場合である。上記ねじりコイルバネは、上記曲がった端部に接続されていて第２の支持点に圧接する回旋部を有しており、上記一対の力の中の第２の支持力が上記第２の支持点に作用する。他の一対の力が、同様にして、固定された支持点に形成される。これにより、ねじりコイルバネが固着されている結果、滑り軸受に半径方向力が更に作用することはない。
本発明の緊張装置においては、上記滑り軸受の拡大された端部は、テンションアームの方を向いているのが好ましい。この配列を逆転させた場合でも、本発明の効果を確実に達成することができるが、滑り軸受の先細の端部に、高い表面圧力、及び、その結果生ずる高い研磨性の磨耗が生ずることがある。
【図面の簡単な説明】
図１乃至図10に示す３つの例示的な実施例を参照して本発明を以下に詳細に説明する。
図面において、
図１は、本発明のテンション装置を長手方向に沿って示す断面図であり、
図２は、本発明のテンション装置の滑り軸受ブッシュを示しており、
図３は、図２の滑り軸受ブッシュの一部を示す横断面図であり、
図４は、変更されたテンションアーム軸を示しており、
図５は、別の変更されたテンションアーム軸を示しており、
図６は、変更された固定要素を示しており、
図７は、変更されたテンションアームが固定されたサポートを備えている図１のテンション装置を示しており、
図８は、本発明の別のテンション装置を示しており、
図９は、本発明の更に別のテンション装置を示しており、
図10は、ねじりコイルバネの端部の締め付け状態を示している。
図面の詳細な説明
図１に示す本発明の例示的な実施例は、テンションアーム１を備えており、このテンションアームには、図示しない牽引手段に係合するためのテンションローラ２が固定されている。テンションアーム１は、ハウジング４と相対的に回転するように、滑り軸受３によって支持されている。テンションアーム１と一体の部品として形成されているのは、テンションアーム軸５であって、このテンションアーム軸は、外側の円錐面領域６を有している。テンションアーム軸５は、円錐壁７が形成されたハウジング４の円錐孔８の中に収容されており、外側の円錐面領域６に対して平行に伸長している円錐壁７との間には、滑り軸受ブッシュ９が設けられている。滑り軸受ブッシュ９とテンションアーム軸５との間の形態的なはめあい結合は、滑り軸受ブッシュ９の突出部10がテンションアーム軸５の凹所11の中に係合することにより行われている。円錐壁７、及び、滑り軸受ブッシュ９の外側の円錐面領域12は、テンションアーム１をハウジング４と相対的に回転可能に支持するための滑り軸受面を形成している。テンションアーム軸５は、テンションアーム１とは反対の方向を向いていて円錐孔７を越えて伸長している一端部を有しており、このテンションアームの一端部には、サポートディスク13が圧入されている。このサポートディスクは、形態的なはめあい結合又は材料による固定的な結合によっても、テンションアーム１に確実に接続することができる。ねじりコイルバネ14が、テンションアーム軸５と同軸状に設けられており、上記ねじりコイルバネは、一方では、サポートディスク13に設けられたサポート15に固着され、他方では、ハウジング４に設けられたサポート16に固着されていて、ねじり力及び軸方向の押圧力FDを発生するようになされている。滑り軸受面７、12の拡大された端部は、テンションアーム１の方を向いており、これにより、テンションアームが固定されているサポート15は、滑り軸受面７、12の先細の端部から滑り軸受面７、12の拡大された端部に向かう方向において、ハウジングが固定されたサポート16より先細の端部側に設けられている。テンションアーム１、及び、このテンションアームと共に一部品として形成されたテンションアーム軸５は、ダイカスト法によって形成されるのが好ましく、好適な材料としては、アルミニウム合金が使用される。
図２及び図３は、滑り軸受ブッシュ９及び成形された突出部10の詳細を示しており、外側の円錐面領域12には、潤滑剤を収容するための潤滑剤ポケット16aが設けられている。
図４は、テンションアーム軸５と共に一部品として形成されたテンションアーム１の変更実施例を示している。テンションアーム軸５は、円筒形の管17を備えており、滑り軸受ブッシュ９は、射出成形法によって円筒形の管17の周囲に設けられている。この場合にも、外側の円錐面領域12は、滑り軸受面として選択されている。可能であれば、一定の肉厚を維持すべきであるので、射出成形法の間に、滑り軸受面12の拡大された端部の方を向いた凹所19を滑り軸受ブッシュ９の中に形成する。
しかしながら、図１のテンションアーム軸５が好ましい場合には、図５に示すように、テンションアーム軸５の外側の円錐面領域６の上に滑り軸受ブッシュ９を射出成形法によって確実に設けることができる。滑り軸受ブッシュ９とテンションアーム軸５との間の接続を密接にするために、テンションアーム軸５のジャケット20に複数の穴21を形成し、これにより、外側の円錐面領域６の上に噴出された滑り軸受材料が上記穴21を貫通してその背後に係合するようにする。
図５に示した滑り軸受ブッシュ９を形成する方法は、図６に示すハウジング４にも同様な態様で応用することができる。この場合には、複数の穴22をハウジング４のジャケット23に設ける。
図７の例示的な実施例は、図１の実施例に実質的に対応しており、上述の実施例と異なる点は、テンションアームが固定されるサポートの形成方法にある。すなわち、この実施例においては、サポートディスク13の方を向いているねじりコイルバネ14の端部をテンションアーム軸５に形成された溝24の中に固着し、サポートディスク13を上記溝24の中に係合させて、ねじりコイルバネ14を軸方向に支持する。上述の実施例と異なる別の点は、滑り軸受ブッシュ９がテンションアーム軸５とハウジング４との間にすきまばめされていることである。従って、滑り軸受ブッシュ９は、円錐壁７と相対的に、また、テンションアーム軸５の外側の円錐面領域６と相対的に自由に回転することができる。
図８に示す本発明の実施例は、テンションアーム軸５には軸方向に開口した凹所25が形成されており、この凹所は、テンションアーム１と同軸状に伸長していてねじりコイルバネ14を収容するようになっている、という構成において上述の実施例と本質的に異なっている。壺型のすなわちポット形状のハウジング４は、ポット底部26と、ポットジャケット27とを備えている。固定サポートは、ポットカバー28に形成されており、このポットカバーは、ポットジャケット27と軸方向において重なっていて該ポットジャケットに固定されているカバージャケット29を有している。円周方向に形成されたスロット30が、ポットジャケット27及びポットカバー28にそれぞれ設けられていて、テンションアーム１を案内するようになっている。ねじりコイルバネ14は、テンションアーム軸５の底部31によって支持されている。
上述の実施例においては、テンションアーム軸５は、テンションアーム１に常に固定されているが、図９の実施例は、固定型のテンションアーム軸32を有している。テンションアーム軸32には、図示しないエンジンブロックに取り付けられるようになったサポートフランジ33が設けられている。テンションアーム35は、テンションアーム軸32に設けられた滑り軸受36によって回転可能に支持されており、上記テンションアーム軸の一端部には、外側の円筒面領域34が形成されている。テンションアーム35は、テンションアーム軸32と同軸状に伸長していて円錐孔38が形成されているテンションアーム・ジャケット37を有しており、上記円錐孔38の先細の端部は、テンションアーム35とは反対の方向を向いている。テンションアーム・ジャケット37とテンションアーム軸32との間には、円錐形のブッシュ39が設けられている。この円錐形のブッシュ39には、外側の円錐面領域40と内側の円筒面領域41とが形成されている。円錐形のブッシュ39とテンションアーム・ジャケット37との間には、円錐形の滑り軸受ブッシュ42が設けられている。この円錐形の滑り軸受ブッシュ42及び円錐形のブッシュ39は、例えば、射出成形法によって、プラスチック材料から一部品として確実に形成することができる。この場合にも、摺動運動は、円錐孔38の円錐壁43と円錐形の滑り軸受ブッシュ42の外側の円錐面領域44との間で行われる。同軸状のねじりコイルバネ45が、一方ではサポートフランジ33に、また、他方ではテンションアームが固定されたサポート46に固着されていて、軸方向の押圧力及びねじり力を与えている。テンションアーム軸32には、同軸状の貫通孔47が設けられており、ネジ48が上記貫通孔47を通って伸長して図示しないエンジンブロックに螺合されている。上記ネジの頭部49と該ネジの頭部49の方を向いた滑り軸受ブッシュ42の端部との間に、ワッシャを確実に設けることができる。これにより、滑り軸受ブッシュ42は、テンションアーム軸32から離れる方向に軸方向に摺動することができなくなる。
図10は、図９に示す本発明の緊張装置の断面図であるが、ネジ48は省略してある。図10は、テンションアームが固定されたサポートを明瞭に示している。ねじりコイルバネ45の曲がった端部が、サポートフランジ33の開口50の中に係合していて、該開口の中で円周方向において支持されている。ねじりコイルバネ45は、上記曲がった端部に固定された回旋部51を有していて、テンションアーム軸32に固定的に圧接している。ねじりコイルバネの上記開口の中における係合点及び上記テンションアーム軸に対する圧接点は共に、一対の力を形成する支持力FSの影響を受ける。ねじりコイルバネのための固定サポートを同様な態様で形成すると、ねじりコイルバネ45がねじれた場合に、滑り軸受に作用する半径方向力が生じないことは明らかである。図９及び図10の実施例を参照して説明したねじりコイルバネのサポートは、他の実施例に関しても同様な効果をもって確実に応用することができる。
本発明の緊張装置の作動態様を以下に説明する。ねじりコイルバネ14、45の構成を上述の新規な構成にすることにより、軸方向の押圧力FDがその反力として、摺動面７、12、43、44に対して直角に作用する力FRを滑り軸受３、36に発生する。その結果生ずる摩擦力が、テンションアーム１、35の揺動運動を効果的に緩衝する。本発明の緊張装置は、テンションアーム１、35が常に揺動可能に確実に支持されるようにし、その際に、テンションアームがハウジング３、及び、固定型のテンションアーム軸32に対してそれぞれ問題となる程のクリアランスを生じないようにする。滑り軸受面７、12、43、44に研磨性の磨耗が生ずると、直ちに遊びが生じて、テンションアーム軸５、28は、テンションアーム１、31に対して軸方向に移動し、これにより、滑り軸受面７、12、43、44を互いに押圧させる。
参照符号
1:テンションアーム  27:ポットジャケット
2:テンションローラ  28:ポットカバー
3:滑り軸受  29:カバージャケット
4:ハウジング  30:スロット
5:テンションアーム軸  31:底部
6:テーパ面領域  32:テンションアーム軸
7:外側の円錐面領域  33:サポートフランジ
8:円錐孔  34:円筒面領域
9:滑り軸受ブッシュ  35:テンションアーム
10:突出部  36:滑り軸受
11:凹所  37:テンションアーム・ジャケット
12:外側の円錐面領域  38:円錐孔
13:サポートディスク  39:円錐形のブッシュ
14:ねじりコイルバネ  40:外側の円錐面領域
15:テンションアームが固定されたサポート  41:外側の円錐面領域
16:固定サポート  42:内側の円筒面領域
16a:潤滑剤ポケット  43:円錐壁
17:円筒形の管  44:外側の円錐面領域
18:（削除）  45:螺旋状コイルバネ
19:凹所  46:テンションアームが固定されたアーム
20:ジャケット  47:貫通孔
21:穴  48:ネジ
22:穴  49:ネジの頭部
23:ジャケット  50:開口
24:溝  51:回旋部
25:凹所
26:ポット底部
【図１】
0003657995.tif 000002
【図２】
0003657995.tif 000003
【図３】
0003657995.tif 000004
【図６】
0003657995.tif 000005
【図４】
0003657995.tif 000006
【図５】
0003657995.tif 000007
【図１０】
0003657995.tif 000008
【図７】
0003657995.tif 000009
【図８】
0003657995.tif 000010
【図９】
0003657995.tif 000011